(57)【要約】【課題】折り畳んだ状態でも表示部の一部を露出できる折り畳み式携帯電話装置を提供する。【解決手段】所定の情報を入力する入力部１８を設けた第１の筐体１２と、所定の情報を表示する表示部３２を設けた第２の筐体３０と、を有する折り畳み式携帯電話装置１０であって、入力部１８と表示部３２とを対面させるように第１の筐体１２と第２の筐体３０とを折り畳んだ状態で表示部３２の一部が露出している構成とした。【選択図】      図２
2005269168.tif 000002
【特許請求の範囲】
【請求項１】
所定の情報を入力する入力部を設けた第１の筐体と、所定の情報を表示する表示部を設けた第２の筐体と、を有する折り畳み式携帯電話装置であって、
前記入力部と前記表示部とを対面させるように前記第１の筐体と前記第２の筐体とを折り畳んだ状態で前記表示部の一部が露出していることを特徴とする折り畳み式携帯電話装置。
【請求項２】
前記第１の筐体と前記第２の筐体とを折り畳む際に前記第１の筐体又は前記第２の筐体の一方を他方に対して相対移動させ、前記第１の筐体と前記第２の筐体とを折り畳んだ状態で前記表示部の一部を露出させる移動機構を備えたことを特徴とする請求項１に記載の折り畳み式携帯電話装置。
【請求項３】
前記移動機構は、
前記第１の筐体又は前記第２の筐体の一方に設けられた回転軸と、
前記回転軸の外周に設けられたピニオンギヤと、
前記第２の筐体又は前記第１の筐体の一方に形成され前記回転軸を回転移動可能に支持する長孔と、
前記長孔が形成された前記第２の筐体又は前記第１の筐体の一方に設けられ、前記ピニオンギヤと噛み合い前記ピニオンギヤの回転と共に前記回転軸に前記長孔の内部を回転移動させるラックと、
を有することを特徴とする請求項２に記載の折り畳み式携帯電話装置。
【請求項４】
前記第１の筐体と前記第２の筐体とを折り畳んだ状態で、前記第１の筐体の端面と前記第２の筐体の端面とが略面一になることを特徴とする請求項１乃至３のいずれか１項に記載の折り畳み式携帯電話装置。
【発明の詳細な説明】
【技術分野】
【０００１】
本発明は、折り畳み式携帯電話装置に関する。
【背景技術】
【０００２】
従来からいわゆる折り畳み式の携帯電話装置が知られている。この折り畳み式携帯電話装置は、テンキーなどの入力部が設けられた第１の筐体と、所定の情報が表示される表示部が設けられた第２の筐体と、を有しており、第１の筐体には回転軸が取り付けられ、この回転軸が第２の筐体に設けられた軸受け部に回転可能に支持されている。この携帯電話装置では、第１の筐体を回転軸と共に回転させることにより、折り畳んだ状態（第１の筐体と第２の筐体が閉じた状態）や展開した状態（第１の筐体と第２の筐体が開いた状態）にすることができる。
【特許文献１】特開２００２−３４４６０１号公報
【発明の開示】
【発明が解決しようとする課題】
【０００３】
ところで、折り畳み式携帯電話装置は、折り畳んだ状態では表示部が隠れてしまう。このため、携帯電話装置を折り畳んだ状態で、ユーザが表示部を視認することができない。
【０００４】
特に、ユーザが表示部に表示される時刻を確認したい場合には折り畳んだ状態では時刻を確認することができず、また受信した電子メールを確認したい場合にも折り畳んだ状態では電子メールを確認することができなくなるなど、ユーザにとって不便となる。
【０００５】
そこで、本発明は、上記事情を考慮し、折り畳んだ状態でも表示部の一部を露出できる折り畳み式携帯電話装置を提供することを目的とする。
【課題を解決するための手段】
【０００６】
請求項１に記載の発明は、所定の情報を入力する入力部を設けた第１の筐体と、所定の情報を表示する表示部を設けた第２の筐体と、を有する折り畳み式携帯電話装置であって、前記入力部と前記表示部とを対面させるように前記第１の筐体と前記第２の筐体とを折り畳んだ状態で前記表示部の一部が露出していることを特徴とする。
【０００７】
請求項１に記載の発明によれば、入力部と表示部とを対面させるように第１の筐体と第２の筐体とを折り畳んだ状態では、表示部の一部が露出している。このため、折り畳み式携帯電話装置を折り畳んだ状態で、ユーザは露出した表示部の一部に表示される所定の情報を確認することができる。
【０００８】
請求項２に記載の発明は、請求項１に記載の折り畳み式携帯電話装置において、前記第１の筐体と前記第２の筐体とを折り畳む際に前記第１の筐体又は前記第２の筐体の一方を他方に対して相対移動させ、前記第１の筐体と前記第２の筐体とを折り畳んだ状態で前記表示部の一部を露出させる移動機構を備えたことを特徴とする。
【０００９】
請求項２に記載の発明によれば、第１の筐体と第２の筐体とを折り畳む際に移動機構により第１の筐体又は第２の筐体の一方が他方に対して相対移動させられる。これにより、第１の筐体と第２の筐体とを折り畳んだ状態で表示部の一部が露出される。このように、簡易な構成で容易に表示部の一部を露出させることができる。
【００１０】
請求項３に記載の発明は、請求項２に記載の折り畳み式携帯電話装置において、前記移動機構は、前記第１の筐体又は前記第２の筐体の一方に設けられた回転軸と、前記回転軸の外周に設けられたピニオンギヤと、前記第２の筐体又は前記第１の筐体の一方に形成され前記回転軸を回転移動可能に支持する長孔と、前記長孔が形成された前記第２の筐体又は前記第１の筐体の一方に設けられ、前記ピニオンギヤと噛み合い前記ピニオンギヤの回転と共に前記回転軸に前記長孔の内部を回転移動させるラックと、を有することを特徴とする。
【００１１】
請求項３に記載の発明によれば、第１の筐体と第２の筐体とを折り畳む場合には、ピニオンギヤがラックと噛み合っているため、第１の筐体と第２の筐体とを閉じる際に、ピニオンギヤがラック上を回転移動し、これに伴い、回転軸が長孔の内部をその軸方向に回転しながら移動する。これにより、第１の筐体又は第２の筐体の一方が他方に対して相対移動し、第１の筐体と第２の筐体とを折り畳んだ状態で表示部の一部が露出される。この結果、第１の筐体と第２の筐体とを折り畳んだ状態で、ユーザは露出した表示部の一部に表示される所定の情報を確認することができる。
【００１２】
請求項４に記載の発明は、請求項１乃至３のいずれか１項に記載の折り畳み式携帯電話装置において、前記第１の筐体と前記第２の筐体とを折り畳んだ状態で、前記第１の筐体の端面と前記第２の筐体の端面とが略面一になることを特徴とする。
【００１３】
請求項４に記載の発明によれば、第１の筐体と第２の筐体とを折り畳んだ状態で、第１の筐体の端面と第２の筐体の端面とが略面一になるため、第１の筐体又は第２の筐体の一方の他方からの出っ張りが無くなり、第１の筐体又は第２の筐体の一方が他方に対して不要に開いてしまうことを防止することができる。さらに、折り畳んだ状態における折り畳み式携帯電話装置の意匠性を向上させることができる。
【発明の効果】
【００１４】
請求項１に記載の発明は、入力部と表示部とを対面させるように第１の筐体と第２の筐体とを折り畳んだ状態では表示部の一部が露出しているため、折り畳み式携帯電話装置を折り畳んだ状態でユーザが露出した表示部の一部に表示される所定の情報を確認することができる。
【００１５】
請求項２に記載の発明は、第１の筐体と第２の筐体とを折り畳む際に移動機構により第１の筐体又は第２の筐体の一方が他方に対して相対移動させられ、第１の筐体と第２の筐体とを折り畳んだ状態で表示部の一部が露出される。このように、簡易な構成で容易に表示部の一部を露出させることができる。
【００１６】
請求項３に記載の発明は、第１の筐体と第２の筐体とを折り畳む場合には、ピニオンギヤがラックと噛み合っているため、第１の筐体と第２の筐体とを閉じる際に、ピニオンギヤがラック上を回転移動し、これに伴い、回転軸が長孔の内部をその軸方向に回転しながら移動する。これにより、第１の筐体又は第２の筐体の一方が他方に対して相対移動し、第１の筐体と第２の筐体とを折り畳んだ状態で表示部の一部が露出されるため、第１の筐体と第２の筐体とを折り畳んだ状態で、ユーザが露出した表示部の一部に表示される所定の情報を確認することができる。
【００１７】
請求項４に記載の発明は、第１の筐体と第２の筐体とを折り畳んだ状態で、第１の筐体の端面と第２の筐体の端面とが略面一になるため、第１の筐体又は第２の筐体の一方の他方からの出っ張りが無くなり、第１の筐体又は第２の筐体の一方が他方に対して不要に開いてしまうことを防止することができる。さらに、折り畳んだ状態における折り畳み式携帯電話装置の意匠性を向上させることができる。
【発明を実施するための最良の形態】
【００１８】
次に、本発明の一実施形態に係る折り畳み式携帯電話装置について、図面を参照して説明する。
【００１９】
図１乃至図３に示すように、折り畳み式携帯電話装置１０は、下側筐体１２（第１の筐体）を備えている。この下側筐体１２の一方の面１２Ａには、所定の情報を入力するためのテンキー１４や所定の機能を開始させるための機能キー１６などの入力部１８及びマイク１９が設けられている。また、下側筐体１２には、凹部状の切溝２０が形成されている。このため、下側筐体１２には切溝２０を構成する一対のアーム部２２、２４を備えている。
【００２０】
また、この各アーム部２２、２４の内側端面には、長孔２６、２７がそれぞれ形成されている。この各長孔２６、２７は、その軸方向がアーム部２２、２４の延在方向に略一致するように、形成されている。さらに、各アーム部２２、２４の各長孔２６、２７の近傍には、アーム部２２、２４の延在方向に沿って延在したラック２８、２９が設けられている。このラック２８、２９の延在長さは、長孔２６、２７の軸長と略同じかそれ以上となるように設定されている。
【００２１】
また、折り畳み式携帯電話装置１０は、上側筐体３０（第２の筐体）を備えている。この上側筐体３０の一方の面３０Ａには所定の情報が表示される表示部３２が設けられている。また、上側筐体３０の表示部３２の上側にはスピーカ２１（図１参照）が設けられている。また、上側筐体３０の表示部３２の下側には、下側筐体１２の切溝２０の内部に位置する箱状部３４が形成されている。この箱状部３４には撮像手段としてのＣＣＤカメラ３６が設けられている。
【００２２】
また、箱状部３４の一方の側面には回転軸３８が取り付けられている。この回転軸３８の一方の端部近傍の外周にはピニオンギヤ４０が設けられている。この回転軸３８の端部は、長孔２６に回転可能となるように支持されている。また、回転軸３８の端部が長孔２６に支持された状態で、ピニオンギヤ４０がラック２８と噛み合っている。
【００２３】
さらに、箱状部３４の他方の側面には回転軸４２が取り付けられている。この回転軸４２の一方の端部近傍の外周にはピニオンギヤ４４が設けられている。この回転軸４２の端部は、長孔２７に回転可能となるように支持されている。また、回転軸４２の端部が長孔２７に支持された状態で、ピニオンギヤ４４がラック２９と噛み合っている。
【００２４】
なお、２つの回転軸３８、４２を一体形成して１つの回転軸とし、この回転軸を箱状部３４に貫通させて、その両端部を長孔２６、２７に支持させてもよい。
【００２５】
また、ラック２８、２９は、２つのアーム部２２、２４にそれぞれ設けた構成を例にとり説明したが、この構成に限られることはなく、２つのアーム部２２、２４のうち一方のアーム部のみに設けていればよい。また、ラックを一方のアーム部のみに設けた場合には、当然にピニオンギヤも１つでよい。
【００２６】
さらに、上側筐体３０の端面３０Ｆの一部には、アンテナ４８が上側筐体３０から伸縮可能となるように設けられている。
【００２７】
次に、本実施形態に係る折り畳み式携帯電話装置１０の作用について説明する。
【００２８】
折り畳み式携帯電話装置１０を使用する場合には、図１に示すように、上側筐体１２又は下側筐体３０の一方が他方に対して開いた状態にする。この開いた状態では、ユーザがテンキー１４などで所定の電話番号を入力して他人に電話をかけたり、テンキー１４により文字を入力して送信する電子メールの本文を作成することができる。これらの入力した情報は表示部３２に表示され、この表示部３２の全体が完全に露出しているため、ユーザは表示部３０に表示された情報を確認することができる。
【００２９】
ここで、筐体を閉じた状態でも表示部３２の一部を大きく見えるようにすると、入力部１８の領域を確保することはもちろん必要があるが、切溝２０の領域も大きくしなければならない。この結果、筐体を大きくしないと、筐体を閉じた状態でも表示部３２の一部分をできるだけ大きく見ることように構成することができない。
一方、本実施例装置では、閉じた状態では表示部３２の一部をできるだけ大きく見えることが可能であるだけでなく、折り畳み式携帯電話装置１０が開いた状態では、上側筐体３０に設けられた回転軸３８、４２が下側筐体１２に形成された長孔２６、２７の一方の端部（図４（Ａ）の状態）に位置しているため、マイク１９からスピーカ２１までの距離が短くなる。このため、折り畳み式携帯電話装置１０が開いた状態で電話機能を利用すると、マイク１９がユーザの口元に位置し、スピーカ２１がユーザの耳元に位置するため、通話相手の声がユーザに良く聞こえるとともにユーザの声も通話相手に的確に伝えることができるだけでなく、筐体を小さく形成することが可能である。
【００３０】
一方、折り畳み式携帯電話装置１０の使用が終了すると、表示部３２と入力部１８とが対面するように上側筐体３０と下側筐体１２とを閉じ、折り畳んだ状態にする。
【００３１】
すなわち、図４（Ａ）、（Ｂ）、（Ｃ）に示すように、折り畳み式携帯電話装置１０が開いた状態では、上側筐体３０に設けられた回転軸３８、４２が下側筐体１２に形成された長孔２６、２７の一方の端部（図４（Ａ）の状態）に位置している。この開いた状態で、下側筐体１２を回転軸３８、４２周りに回転させていくと、ラック２８、２９とピニオンギヤ４０、４４が噛み合っているため、ピニオンギヤ４０、４４がラック２８、２９上を回転移動する。ピニオンギヤ４０、４４のラック２８、２９上の回転移動に伴い、回転軸３８、４２が長孔２６、２７の他方の端部に向かって長孔２６、２７の内部をその長孔２６、２７の軸方向に沿って移動する（図４（Ｂ）参照）。この結果、下側筐体１２が上側筐体３０に対して相対的に移動し、上側筐体３０と下側筐体１２とが閉じた状態（図４（Ｃ）参照）では、図２に示すように、下側筐体１２の切溝２０を通して表示部３２の一部が露出される。さらに、上側筐体３０と下側筐体１２とが閉じた状態では上側筐体３０の端面３０Ｆと下側筐体１２の端面１２Ｆとが略面一となる（図４（Ｃ）参照）。
【００３２】
以上のように、折り畳み式携帯電話装置１０を折り畳んだ状態でも、ユーザは切溝２０を通して表示部３２の一部を視認することができ、例えば、露出されている表示部３２に所定の情報が表示されるように設定しておくと、折り畳み式携帯電話装置１０を折り畳んだ状態で表示部３２に表示された所定の情報を確認することができる。
【００３３】
また、下側筐体１２が上側筐体３０に対して相対移動する構成であるが、折り畳んだ状態において、上側筐体３０の端面３０Ｆと下側筐体１２の端面１２Ｆとを略面一にすることにより、下側筐体１２又は上側筐体３０の一方の他方からの出っ張りが無くなるため、下側筐体１２又は上側筐体３０の一方が他方に対して不要に開いてしまうことを防止することができる。さらに、折り畳んだ状態における携帯電話装置１０の意匠性を向上させることができる。
【００３４】
なお、上記実施形態では、上側筐体３０にピニオンギヤ４０、４４を備えた回転軸３８、４２を設け、下側筐体１２に長孔２６、２７を形成しかつラック２８、２９を設けた構成を例にとり説明したが、これに限られることはなく、上側筐体３０に長孔及びラックを設け、下側筐体１２にピニオンギヤを備えた回転軸を設けた構成にしてもよい。
【００３５】
さらに、上記実施形態では、折り畳み式携帯電話装置１０を折り畳む時に下側筐体１２が上側筐体３０に対して相対的に移動する構成を例にとり説明したが、これに限られることはなく、上側筐体３０又は下側筐体１２の一方が他方に対して相対的に移動しない構成でも、例えば、下側筐体１２に貫通孔（図示省略）を形成し、折り畳んだ状態で、この貫通孔を通して表示部の一部が露出するようにしてもよい。
【図面の簡単な説明】
【００３６】
【図１】本発明の一実施形態に係る折り畳み式携帯電話装置が開いた状態の斜視図である。
【図２】本発明の一実施形態に係る折り畳み式携帯電話装置を折り畳んだ状態の斜視図である。
【図３】本発明の一実施形態に係る折り畳み式携帯電話装置に設けられた移動機構を示した部分的な斜視図である。
【図４】本発明の一実施形態に係る折り畳み式携帯電話装置が開いた状態から折り畳まれた状態に至る作用図である。
【符号の説明】
【００３７】
１０          折り畳み式携帯電話装置
１２          下側筐体（第１の筐体）
１８          入力部
２６、２７    長孔（移動機構）
２８、２９    ラック（移動機構）
３０          上側筐体（第２の筐体）
３２          表示部
３８、４２    回転軸（移動機構）
４０、４４    ピニオンギヤ（移動機構）
【図１】
2005269168.tif 000003
【図２】
2005269168.tif 000004
【図３】
2005269168.tif 000005
【図４】
2005269168.tif 000006